(57)【要約】【課題】被写体光に関与する素子と撮像素子の位置との間で撮像面内における位置ズレが存在する場合、撮像装置が位置ズレを考慮した処理を行うことができない。【解決手段】撮像装置は、光学系を通過した光により被写体を撮像する撮像素子と、撮像素子とは異なる位置に設けられ、光学系の焦点状態を検出する検出素子と、撮像素子の撮像面内における検出素子の対応位置と撮像素子の位置との相対的な位置ズレを示す情報を記録する位置情報記録部とを備える。撮像装置は、光学系を通過した光により被写体を撮像する撮像素子と、光学系を通過した光で形成される光学像に重畳して情報を表示する表示素子と、撮像素子の撮像面内における表示素子の対応位置と撮像素子の位置の相対的な位置ズレを示す情報を記録する位置情報記録部とを備える。【選択図】図３
2015102740.tif 000002
【特許請求の範囲】
【請求項１】
光学系を通過した光により被写体を撮像する撮像素子と、
前記撮像素子とは異なる位置に設けられ、前記光学系の焦点状態を検出する検出素子と、
前記撮像素子の撮像面内における前記検出素子の対応位置と前記撮像素子の位置との相対的な位置ズレを示す情報を記録する位置情報記録部と
を備える撮像装置。
【請求項２】
前記撮像素子で得られた画像における、前記焦点状態に基づく焦点調節の対象位置を示す情報を、前記位置ズレに応じて出力させる出力制御部
をさらに備える請求項１に記載の撮像装置。
【請求項３】
前記出力制御部は、前記画像に重畳して、前記焦点調節の対象位置を示すマークを、前記位置ズレに応じた位置に表示させる表示制御部を有する
請求項２に記載の撮像装置。
【請求項４】
前記出力制御部は、前記撮像素子で得られた画像データに対応づけて、前記焦点調節の対象位置を示す、前記位置ズレに応じた情報を記録する記録制御部を有する
請求項２または３に記載の撮像装置。
【請求項５】
複数の前記検出素子のうち、前記焦点状態の検出に用いるべき、前記位置ズレに応じた位置に設けられた前記検出素子を識別する情報を記録する素子情報記録部
をさらに備える請求項１から４のいずれか一項に記載の撮像装置。
【請求項６】
前記光学系を通過した光で形成される光学像に重畳して、前記焦点状態に基づく焦点調節の対象位置を示すマークを表示する表示素子と、
複数の前記検出素子のうち、前記光学像が形成される面内において前記マークが表示される位置に光学的に対応する位置に設けられた前記検出素子の焦点状態に基づいて、焦点調節を制御する焦点調節制御部と
をさらに備える請求項１から５のいずれか一項に記載の撮像装置。
【請求項７】
前記光学系を通過した光で形成される光学像に重畳して、前記光学像が形成される面内における前記検出素子の対応位置に、前記焦点状態に基づく焦点調節の対象位置を示すマークを表示させる表示制御部
をさらに備える請求項１から５のいずれか一項に記載の撮像装置。
【請求項８】
光学系を通過した光により被写体を撮像する撮像素子と、
前記光学系を通過した光で形成される光学像に重畳して情報を表示する表示素子と、
前記撮像素子の撮像面内における前記表示素子の対応位置と前記撮像素子の位置の相対的な位置ズレを示す情報を記録する位置情報記録部と
を備える撮像装置。
【請求項９】
前記表示素子は、前記光学像に重畳して、焦点調節の対象位置を示すマークを表示する
請求項８に記載の撮像装置。
【請求項１０】
前記光学像が形成される面内において前記マークが表示される位置に光学的に対応する位置に設けられた、前記光学系の焦点状態を検出する検出素子の焦点状態に基づいて、前記焦点調節を制御する焦点調節制御部と、
前記撮像素子で得られた画像における、前記焦点調節の対象位置を示す情報を、前記位置ズレに応じて出力させる出力制御部と
をさらに備える請求項９に記載の撮像装置。
【請求項１１】
光学系を通過した光により被写体を撮像する撮像素子と、前記撮像素子とは異なる位置に設けられ前記光学系の焦点状態を検出する検出素子とを有する撮像装置の調整方法であって、
前記検出素子が有する複数の受光素子および前記撮像素子が有する複数の受光素子に測定光を受光させる受光段階と、
前記検出素子が有する前記複数の受光素子のうち前記測定光を検出した受光素子の位置と、前記撮像素子が有する前記複数の受光素子のうち前記測定光を検出した受光素子の位置とに基づいて、前記撮像素子の撮像面内における前記検出素子の対応位置と前記撮像素子の位置との相対的な位置ズレを検出する検出段階と、
前記位置ズレを示す情報を、前記撮像装置に記録する記録段階と
を備える調整方法。
【請求項１２】
前記撮像装置は、前記光学系を通過した光で形成される光学像に重畳して、前記焦点状態に基づく焦点調節の対象位置を示すマークを表示する表示素子をさらに有し、
前記調整方法は、
前記測定光で形成される光学像と前記測定光で形成される光学像に重畳された前記マークの位置との相対的な位置ズレを検出する検出段階と、
前記検出段階で検出された前記位置ズレに基づいて、複数の前記検出素子のうち、前記光学像が形成される面内において前記マークが表示される位置に光学的に対応する位置に設けられた前記検出素子を、前記焦点状態の検出に用いるべき検出素子として選択する選択段階と、
前記選択段階で選択された前記検出素子を識別する情報を、前記撮像装置に記録する段階と
をさらに備える請求項１１に記載の調整方法。
【発明の詳細な説明】
【技術分野】
【０００１】
本発明は、撮像装置および調整方法に関する。
【背景技術】
【０００２】
測距装置の調整方法が知られている（例えば、特許文献１および特許文献２を参照。）。
［先行技術文献］
［特許文献］
［特許文献１］特開平１１−１４２９３９号公報
［特許文献２］特開平１１−１８３７９０号公報
【発明の概要】
【発明が解決しようとする課題】
【０００３】
光学系の焦点状態を検出する検出素子を、撮像素子とは別の位置に設けた撮像装置において、撮像素子の撮像面内における検出素子の対応位置と撮像素子の位置との相対的な位置ズレが存在する場合がある。また、光学系を通過した光で形成される光学像に重畳して情報を表示する表示素子を有する撮像装置において、撮像素子の撮像面内における表示素子の対応位置と撮像素子の位置との相対的な位置ズレが存在する場合がある。このように、被写体光に関与する素子を撮像素子とは別に設けた撮像装置において、撮像素子の位置と当該素子との撮像面内における位置ズレが存在する場合、撮像装置が係る位置ズレを考慮した処理を行うことができないという課題があった。
【課題を解決するための手段】
【０００４】
第１の態様においては、撮像装置は、光学系を通過した光により被写体を撮像する撮像素子と、撮像素子とは異なる位置に設けられ、光学系の焦点状態を検出する検出素子と、撮像素子の撮像面内における検出素子の対応位置と撮像素子の位置との相対的な位置ズレを示す情報を記録する位置情報記録部とを備える。
【０００５】
第２の態様においては、撮像装置は、光学系を通過した光により被写体を撮像する撮像素子と、光学系を通過した光で形成される光学像に重畳して情報を表示する表示素子と、撮像素子の撮像面内における表示素子の対応位置と撮像素子の位置の相対的な位置ズレを示す情報を記録する位置情報記録部とを備える。
【０００６】
第３の態様においては、光学系を通過した光により被写体を撮像する撮像素子と、撮像素子とは異なる位置に設けられ光学系の焦点状態を検出する検出素子とを有する撮像装置の調整方法であって、検出素子が有する複数の受光素子および撮像素子が有する複数の受光素子に測定光を受光させる受光段階と、検出素子が有する複数の受光素子のうち測定光を検出した受光素子の位置と、撮像素子が有する複数の受光素子のうち測定光を検出した受光素子の位置とに基づいて、撮像素子の撮像面内における検出素子の対応位置と撮像素子の位置との相対的な位置ズレを検出する検出段階と、位置ズレを示す情報を、撮像装置に記録する記録段階とを備える。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】カメラ１０の外観の一例を模式的に示す。
【図２】カメラ１０のシステム構成を概略的に示すブロック図である。
【図３】ファインダ窓１４を通じてユーザに提示されるＡＦエリア表示を示す。
【図４】撮像素子３０をレンズ系の光軸方向に沿って見た場合を示す。
【図５】焦点検出素子４０が有する受光素子の配置例を示す。
【図６】焦点検出素子４０の基準位置の近傍を拡大して示す。
【図７】ユーザによって撮影前にファインダ内で観察されるファインダ像７００の一例を示す。
【図８】表示ユニット５３に表示される再生画像の一例を示す。
【図９】カメラの調整工程において用いられる調整装置１０００とカメラ１０とを含む調整システムを示す図である。
【図１０】第１ファインダ画像１０８０の一例を示す。
【図１１】表示装置１０３０が縦長の矩形ラインを表示している場合に焦点検出素子４０に光線１１００が入射している様子を模式的に示す。
【図１２】第２ファインダ画像１２８０の一例を示す。
【図１３】表示装置１０３０が横長の矩形ラインを表示している場合に焦点検出素子４０に光線１３００が入射している様子を模式的に示す。
【図１４】カメラ本体１３０が有するミラーユニット２０が、レンズユニット１２０の光軸中から退避した退避状態を示す。
【図１５】表示装置１０３０が縦長の矩形ラインを表示している場合に撮像素子３０に光線１５００が入射している様子を模式的に示す。
【図１６】表示装置１０３０が横長の矩形ラインを表示している場合に撮像素子３０に光線１６００が入射している様子を模式的に示す。
【図１７】カメラ１０の調整工程におけるフローの一例を示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、カメラ１０の外観の一例を模式的に示す。本実施形態のカメラ１０は、一眼レフレックスカメラである。カメラ１０は、カメラ本体１３０と、レンズユニット１２０とを備える。レンズユニット１２０は交換レンズであり、レンズユニット１２０はカメラ本体１３０に対して着脱可能である。図１では、レンズユニット１２０がカメラ本体１３０に装着された状態を示す。カメラ本体１３０には、レリーズボタン１２、マルチセレクタ１３、表示ユニット５３、ファインダ窓１４が設けられる。
【００１１】
カメラ１０において、後述するミラーユニット２０がレンズユニット１２０の光軸中に進出した進出状態にある場合、レンズユニット１２０が有するレンズ系を通過した光による被写体の光学像は、ファインダ窓１４を通じてユーザに提示される。被写体の光学像には、焦点調節の対象位置を示すフォーカスポイント枠が重畳されて、ユーザに提示される。フォーカスポイント枠は、後述するＡＦ位置表示素子６０によって表示される。
【００１２】
焦点調節の対象位置は画角内に複数用意されている。ユーザはマルチセレクタ１３を操作して、フォーカスポイント枠の選択状態を変更することにより、焦点調節の対象位置を変更する。なお、焦点調節の対象位置のことを、単に「焦点調節位置」と呼ぶ場合がある。
【００１３】
レリーズボタン１２が半押しされると、カメラ１０は、後述する焦点検出素子４０で検出された焦点状態に基づいて、選択されたフォーカスポイントに対応する焦点調節位置の被写体に対して焦点調節を行う。レリーズボタン１２が全押しされると、カメラ１０は、後述する撮像素子３０の撮像動作で得られた画像データを、後述する外部メモリ８０に記録する。このとき、カメラ１０は、撮像時に選択されている焦点調節位置を示すＡＦ位置情報を、画像データに付帯して記録する。
【００１４】
後述するように、カメラ１０において撮像素子３０と焦点検出素子４０との撮像面内における相対的な位置ズレ量が光学的に測定されており、当該位置ズレ量を示す第１位置ズレ情報がカメラ１０に予め記録されている。また、カメラ１０において焦点検出素子４０とＡＦ位置表示素子６０との相対的な位置ズレ量が光学的に測定されており、当該位置ズレ量を示す第２位置ズレ情報がカメラ１０に予め記録されている。カメラ１０は、例えば、第１位置ズレ情報および第２位置ズレ情報が記録された状態で出荷される。
【００１５】
カメラ１０は、レリーズボタン１２の半押し操作等に応じて焦点調節を行う場合、第２位置ズレ情報に応じて補正された位置の被写体に対して、焦点調節を行う。また、カメラ１０は、画像データを外部メモリ８０に記録する場合、第１位置ズレ情報に応じて補正されたＡＦ位置情報を、画像データに付帯して記録する。カメラ１０は、画像データを再生時に、画像データに付帯して記録された位置に、フォーカスポイントのマークを重畳して表示ユニット５３に表示させる。
【００１６】
カメラ１０によれば、仮に撮像素子３０と焦点検出素子４０とが互いに誤差をもって組み付けられていたとしても、ユーザがファインダ窓１４を通じて指定した焦点調節位置の被写体に対して焦点調節を行うことができる。また、画像再生時においては、仮に撮像素子３０とＡＦ位置表示素子６０とが互いに誤差をもって組み付けられていたとしても、ユーザがファインダ窓１４を通じて指定した焦点調節位置の被写体の被写体像上に正しくフォーカスポイントのマークを重畳して表示することができる。
【００１７】
図２は、カメラ１０のシステム構成を概略的に示すブロック図である。制御ユニット５２は、カメラ本体１３０およびレンズユニット１２０の全体を制御する。制御ユニット５２は、例えばＭＰＵ等のプロセッサにより実現される。
【００１８】
制御ユニット５２は、レンズユニット１２０が有するレンズ系の焦点距離、絞り、焦点状態等の条件を決定して、決定した条件を示す制御信号をレンズ駆動部７１に供給する。レンズ駆動部７１は、制御ユニット５２から供給された制御信号に基づいて、レンズユニット１２０が有するレンズ系の焦点距離、絞り、焦点状態等を制御する。なお、特に断らない限り、レンズユニット１２０が有するレンズ系のことを「レンズ系」と呼ぶ。
【００１９】
焦点検出素子４０は、撮像素子３０とは異なる位置に設けられ、レンズ系の焦点状態を検出する。焦点検出素子４０は、被写体光を受光する複数の受光素子列を有する。焦点検出素子４０が有する複数の受光素子列のそれぞれは、被写体に対して合焦状態にある場合には位相が一致した信号を出力し、前ピン状態または後ピン状態にある場合には、位相ずれした信号を出力する。位相のずれ量は、合焦状態からのずれ量に対応する。焦点検出素子４０は、受光素子列の出力を相関演算して位相差を検出して、位相差を示す位相差信号を制御ユニット５２へ出力する。
【００２０】
レンズ系の焦点状態は、制御ユニット５２およびレンズ駆動部７１等の制御により、焦点検出素子４０からの位相差信号を用いて調節される。例えば、制御ユニット５２は、位相差信号が示す焦点状態に基づいてレンズユニット１２０が有するレンズ内ＭＰＵを制御して、焦点状態に応じた目標位置に、レンズ系が含むフォーカスレンズの位置を制御する。
【００２１】
撮像素子３０による撮像範囲内には、複数の焦点調節位置が設定されている。焦点検出素子４０には、複数の焦点調節位置のそれぞれに対応する複数の位置にそれぞれ受光素子列が設けられている。制御ユニット５２は、焦点検出素子４０で検出された焦点状態に基づいて、複数の焦点調節位置のそれぞれにおいて焦点調節を制御することができる。
【００２２】
ＡＦ位置表示素子６０は、レンズ系を通過した光で形成される光学像に重畳して、焦点調節位置を示すマークを表示する。ＡＦ位置表示素子６０は、複数の焦点調節位置に対応する位置に設けられた複数の発光素子を有する。制御ユニット５２は、マルチセレクタ１３を含む操作入力部４７に対して予め定められた操作がなされた場合、複数の焦点調節位置のうち現在設定されている焦点調節位置に対応する位置の発光素子を発光させる。これにより、ユーザは、現在設定されている焦点調節位置を、ファインダ窓１４を通じて認識することができる。
【００２３】
ユーザは、操作入力部４７の一部としてのマルチセレクタ１３を操作して、複数の焦点調節位置の中から一つの焦点調節位置を選択することができる。制御ユニット５２は、レリーズボタン１２が半押しされたことを検出すると、焦点検出素子４０が有する複数の受光素子列のうち、現在選択されている焦点調節位置に対応する位置に設けられた受光素子列で検出された焦点状態に基づいて焦点調節を制御する。これにより、ユーザが選択した焦点調節位置の被写体に対して焦点調節が行われる。このように、制御ユニット５２は、光学像が形成される面内においてマークが表示される位置に光学的に対応する位置に設けられた、レンズ系の焦点状態を検出する焦点検出素子４０の焦点状態に基づいて、焦点調節を制御する。
【００２４】
撮像素子３０は、カメラ本体１３０に装着されたレンズユニット１２０を通過した光により、被写体を撮像する。撮像素子３０の撮像動作は、制御ユニット５２によって制御される。撮像素子３０は、ＣＭＯＳセンサ、ＣＣＤセンサ等の固体撮像素子を有する。撮像素子３０が撮像動作によって生成された画素信号は、制御ユニット５２の制御に従って画像処理部５１に出力される。
【００２５】
画像処理部５１は、例えばＡＳＩＣにより実現される。画像処理部５１は、制御ユニット５２の制御に従って、撮像素子３０から出力された画素信号を処理して画像データを生成する。生成された画像データは、例えば撮像後の一定時間の間、表示ユニット５３に画像として表示される。また、画像処理部５１は、生成した画像データを、予め定められた画像フォーマットに加工する。例えば、画像処理部５１は、静止画用の画像フォーマットとしてのＪＰＥＧファイル、動画用の画像フォーマットとしてのＭＰＥＧファイル等に画像データを加工する。
【００２６】
制御ユニット５２は、画像処理部５１が生成した画像ファイルを、外部メモリ８０に記録する。外部メモリ８０は、不揮発性の記録媒体である。外部メモリ８０は、カメラ本体１３０に着脱可能に設けられる。外部メモリ８０は、半導体メモリ等のメモリカードであってよい。
【００２７】
なお、カメラ１０においてライブビューの撮像動作を行う場合、画像処理部５１は、撮像素子３０から出力された画素信号に基づく画像を表示ユニット５３に順次表示させる。このとき、画像処理部５１は、制御ユニット５２からの制御に従って、撮像素子３０から出力された画素信号を処理して、被写体像のコントラスト量を示すコントラスト評価値を生成する。制御ユニット５２は、コントラスト評価値に基づき、焦点調節用の制御信号を生成して、レンズ駆動部７１に供給する。
【００２８】
外部接続ＩＦ５６は、外部機器との間の通信を担う。画像処理部５１において生成された画像データは、外部接続ＩＦ５６を介して外部機器に出力される。外部接続ＩＦ５６は、ＵＳＢインタフェース、ＨＤＭＩ（登録商標）インタフェース、無線通信インタフェース等であってよい。外部機器としては、パーソナルコンピュータ、プリンタ、デジタルフォトスタンド等を例示することができる。外部機器が映像機器である場合、映像データとしての画像データは、外部接続ＩＦ５６を介して映像信号として送信される。
【００２９】
システムメモリ５７は、不揮発性のメモリの一例である。システムメモリ５７は、例えばフラッシュメモリである。システムメモリ５７は、不揮発性メモリの一例であり、カメラ１０を制御するプログラム、各種パラメータなどを格納する役割を担う。プログラムは、オペレーティングシステム（ＯＳ）を含む。システムメモリ５７には、後述する第１位置ズレ情報および第２位置ズレ情報が記録される。
【００３０】
ＳＤＲＡＭ５８は、揮発性メモリの一例である。ＳＤＲＡＭ５８は、システムメモリ５７よりも、高速にアクセスできるメモリである。ＳＤＲＡＭ５８は、システムメモリ５７から転送されたＯＳを記憶する。ＳＤＲＡＭ５８は、画像処理部５１による処理中の画像データを一時的に保管するワークメモリとしての役割も担う。
【００３１】
操作入力部４７は、レリーズボタン１２、マルチセレクタ１３等を含む。制御ユニット５２は、操作入力部４７に対するユーザ操作を示す信号を操作入力部４７から取得して、ユーザ操作に応じて各種の処理を行う。
【００３２】
カメラ本体１３０の各部、レンズユニット１２０の各部および外部メモリ８０は、電源ユニット９０から電力供給を受ける。電源ユニット９０としては、カメラ本体１３０に対して着脱できるリチウムイオン電池等の二次電池、系統電源等を例示することができる。二次電池は電池の一例であり、電池とは、実質的に充電することができない一次電池を含む。
【００３３】
図３は、ファインダ窓１４を通じてユーザに提示されるＡＦエリア表示を示す。ＡＦエリア表示では、１１個のフォーカスポイント３００がフォーカスポイント枠で提示される。１１個のフォーカスポイント３００を、ａからｋの添え字で区別する。フォーカスポイント３００ａは、レンズ系の光軸中心に対応するべき焦点調節位置を示す。フォーカスポイント３００のそれぞれは、１つの焦点調節位置に対応する。
【００３４】
各フォーカスポイント３００は、ＡＦ位置表示素子６０が有する複数の発光素子のうちの対応する一つの発光素子によって表示される。図３には、ＡＦ位置表示素子６０の物理的な位置の基準となる基準位置６５が示されている。基準位置６５については後述する。
【００３５】
図４は、レンズ系の光軸方向に沿って撮像素子３０を見た撮像面を示す。図４においては、フォーカスポイント３００に光学的に対応する位置が点線で示されている。図４には、ＡＦ位置表示素子６０の基準位置６５とともに、撮像素子３０の物理的な位置の基準となる基準位置３５が示されている。基準位置３５については後述する。
【００３６】
図５は、焦点検出素子４０が有する受光素子の配置例を示す。図５においては、フォーカスポイント３００を提供する発光素子と光学的に対応する位置が点線で示されている。また、図５には、ＡＦ位置表示素子６０の基準位置６５が示されている。
【００３７】
焦点検出素子４０は、１２個のラインセンサ４００を有する。１２個のラインセンサ４００を、ａからｌの添え字で区別する。ラインセンサ４００ａ、ラインセンサ４００ｂ、ラインセンサ４００ｃ、ラインセンサ４００ｄ、ラインセンサ４００ｅ、ラインセンサ４００ｆ、ラインセンサ４００ｇは、それぞれｘ方向に配列された複数の受光素子４１０を有する。ラインセンサ４００ｈ、ラインセンサ４００ｉ、ラインセンサ４００ｊ、ラインセンサ４００ｋおよびラインセンサ４００ｌは、それぞれｙ方向に配列された複数の受光素子４２０を有する。受光素子４１０および受光素子４２０については、図６に関連して後述する。同一のラインセンサ４００に設けられた複数の受光素子の出力を位相相関することによって、対応する位置の焦点状態が検出される。
【００３８】
撮像素子３０、ＡＦ位置表示素子６０および焦点検出素子４０は、組み付け工程で実質的に位置合わせして組み付けられるが、実際には多少の誤差を含んで組み付けられる。したがって、焦点検出素子４０の撮像面内の対応位置と撮像素子３０とは、撮像面内において相対的に位置ズレして組み付けられている。また、撮像面内におけるＡＦ位置表示素子６０の対応位置と撮像素子３０とは、撮像面内において相対的に位置ズレして組み付けられている。また、被写体の光学像が形成される面である光学像面においては、光学像面におけるＡＦ位置表示素子６０の対応位置と光学像面における焦点検出素子４０の対応位置とは、相対的に位置ズレして組み付けられている。カメラ１０においては、これらの位置ズレを考慮した処理を行う。なお、本実施形態では、位置ズレを分かりやすく表すために、大きく位置ズレした状態を示す。
【００３９】
本実施形態の説明においては、撮像素子３０、焦点検出素子４０、ＡＦ位置表示素子６０の相互の相対的な位置ズレを、撮像素子３０における基準位置と、焦点検出素子４０における基準位置と、ＡＦ位置表示素子６０における基準位置とを用いて表す。ここでは、基準位置として、レンズ系の光軸に対応する点を用いる。具体的には、撮像素子３０の基準位置３５を、撮像素子３０が有する有効画素領域の中心に設定する。焦点検出素子４０の基準位置４５を、ラインセンサ４００ａにおける受光素子４１０の配列方向に沿う中心軸４１１と、ラインセンサ４００ｈにおける受光素子４２０の配列方向に沿う中心軸４１２との交点に設定する。ＡＦ位置表示素子６０の基準位置６５を、フォーカスポイント３００ａを提供する発光素子の中心位置に設定する。基準位置は、相対的な位置ズレを表すことができる位置であれば、どのような位置を採用してもよい。
【００４０】
図４に示されるように、ＡＦ位置表示素子６０と撮像素子３０とは、撮像面内においてｘ方向にΔＸ、ｙ方向にΔＹだけずれて組み付けられている。また、図５に示されるように、焦点検出素子４０とＡＦ位置表示素子６０とは、光学像面においてｘ方向にΔｘ、ｙ方向にΔｙだけずれて組み付けられている。
【００４１】
撮像素子３０、焦点検出素子４０およびＡＦ位置表示素子６０の相互の位置ズレ量は、後述するように撮像素子３０、焦点検出素子４０およびＡＦ位置表示素子６０が組み付けられた後に光学的に測定され、システムメモリ５７に位置ズレ量を示す情報が記録される。具体的には、複数のフォーカスポイント３００のそれぞれを識別する識別情報に対応づけて、位置ズレ量を示す情報が記録されている。例えば、システムメモリ５７には、フォーカスポイント３００の識別情報に対応づけて、それぞれのフォーカスポイント３００が光学的に対応する撮像面内の位置を示す第１位置ズレ情報が記録されている。また、システムメモリ５７には、フォーカスポイント３００の識別情報に対応づけて、光学的に対応する位置に存在する受光素子４１０および受光素子４２０の識別情報を含む第２位置ズレ情報が記録されている。
【００４２】
図６は、焦点検出素子４０の基準位置の近傍を拡大して示す。フォーカスポイント３００ａで焦点調節を行う場合、制御ユニット５２は、ラインセンサ４００ａが有する受光素子４１０ａ、受光素子４１０ｂ、受光素子４１０ｃ、受光素子４１０ｄ、受光素子４１０ｅ、受光素子４１０ｆ、受光素子４１０ｇ、受光素子４１０ｈ、受光素子４１０ｉ、受光素子４１０ｊ、受光素子４１０ｋ・・・のうち、位置ズレΔｘに応じた位置にある予め定められた数の受光素子（受光素子４１０ｃ、受光素子４１０ｄ、受光素子４１０ｅ、受光素子４１０ｆ、受光素子４１０ｇ、受光素子４１０ｈ、受光素子４１０ｉ、受光素子４１０ｊ）で焦点状態を検出させる。また、制御ユニット５２は、ラインセンサ４００ｈが有する受光素子４２０ａ、受光素子４２０ｂ、受光素子４２０ｃ、受光素子４２０ｄ、受光素子４２０ｅ、受光素子４２０ｆ、受光素子４２０ｇ、受光素子４２０ｈ・・・のうち、位置ズレΔｙに応じた位置にある予め定められた数の受光素子４２０（受光素子４２０ｂ、受光素子４２０ｃ、受光素子４２０ｄ、受光素子４２０ｅ、受光素子４２０ｆ）で焦点状態を検出させる。
【００４３】
具体的には、システムメモリ５７には、フォーカスポイント３００ａを識別する情報に対応づけて、測定された位置ズレΔｘに応じて選択された受光素子４１０ｃ、受光素子４１０ｄ、受光素子４１０ｅ、受光素子４１０ｆ、受光素子４１０ｇ、受光素子４１０ｈ、受光素子４１０ｉおよび受光素子４１０ｊを識別する識別情報と、受光素子４２０ｂ、受光素子４２０ｃ、受光素子４２０ｄ、受光素子４２０ｅおよび受光素子４２０ｆを識別する識別情報とが、第２位置ズレ情報として記録されている。制御ユニット５２は、フォーカスポイント３００ａで焦点調節することが選択されている場合、システムメモリ５７に記録されている検出素子情報においてフォーカスポイント３００ａに対応づけられた受光素子の識別情報に基づいて、受光素子４１０ｃ、受光素子４１０ｄ、受光素子４１０ｅ、受光素子４１０ｆ、受光素子４１０ｇ、受光素子４１０ｈ、受光素子４１０ｉおよび受光素子４１０ｊを選択して、選択した受光素子４１０および受光素子４２０から出力された位相差信号に基づいて、焦点状態を算出する。
【００４４】
フォーカスポイント３００ｂ〜ｋについても同様に、フォーカスポイント３００ｂ〜ｋを識別する識別情報に対応づけて、位置ズレに応じて決定された受光素子４１０および受光素子４２０の識別情報が、検出素子情報としてシステムメモリ５７に記録されている。制御ユニット５２は、システムメモリ５７に記録されている検出素子情報において、ユーザが選択したフォーカスポイント３００に対応づけられた受光素子の識別情報に基づいて受光素子４１０および受光素子４２０を選択して、選択した受光素子４１０および受光素子４２０から出力された位相差信号に基づいて、焦点状態を算出する。これにより、制御ユニット５２は、ユーザが選択したフォーカスポイント３００に対応づけられた適切な受光素子４１０および受光素子４２０を選択して、焦点状態を算出することができる。
【００４５】
図７は、ユーザによって撮影前にファインダ内で観察されるファインダ像７００の一例を示す。図７は、フォーカスポイント３００ａが選択されている場合を示す。図７に示されるフォーカスポイントを示すマーク７１０は、マルチセレクタ１３で選択されたフォーカスポイント３００に対応する発光素子が発光することによって形成され、被写体の光学像７２０に重畳されてユーザに提示される。レリーズボタンが押し込まれると、制御ユニット５２は、画像処理部５１で生成された画像データの付帯情報として、第１位置ズレ情報に基づいて、フォーカスポイント３００ａに対応する画像上の位置を示すＡＦ位置情報を付帯して、外部メモリ８０を記録する。このように、制御ユニット５２は、撮像素子３０で得られた画像データに対応づけて、焦点調節の対象位置を示す、位置ズレに応じた情報を記録する。
【００４６】
図８は、表示ユニット５３に表示される再生画像の一例を示す。制御ユニット５２は、画像データに格納されているＡＦ位置情報に基づいて、画像８００に重畳して、マーク８１０を表示する。画像データに付帯して記録されているＡＦ位置情報は、撮像素子３０の基準位置３５に対応する位置に対して、撮像素子３０との相対的な位置ズレを示す第１位置ズレ情報で補正された値である。このため、マーク８１０は、ユーザがファインダ窓１４を通じて選択したフォーカスポイント３００ａに光学的に対応する画像上の位置に表示される。このように、制御ユニット５２は、画像に重畳して、焦点調節の対象位置を示すマークを、位置ズレに応じた位置に表示させる。
【００４７】
なお、制御ユニット５２は、画像データに位置ズレ情報を記録したり表示ユニット５３に位置ズレ情報に基づくマーク８１０を表示したりするだけでなく、種々の形態で位置ズレ情報を出力してよい。すなわち、制御ユニット５２は、撮像素子３０で得られた画像における、焦点状態に基づく焦点調節の対象位置を示す情報を、位置ズレに応じて出力してよい。
【００４８】
以上に説明したように、カメラ１０によれば、ユーザがファインダ窓１４を通じて選択したフォーカスポイント３００に光学的に正しく対応する被写体位置に対して、焦点調節を行うことができる。また、画像の再生画面上においても、ユーザがファインダ窓１４を通じて選択したフォーカスポイント３００に光学的に対応する画像上の位置に、フォーカスポイントを示すマークを表示することができる。このように、カメラ１０によれば、撮像素子３０、焦点検出素子４０およびＡＦ位置表示素子６０が相互に位置ズレして組み付けられている場合でも、位置ズレを考慮した正しい被写体位置に対して焦点調節を行うことができる。また、画像の再生画面上に表示されるフォーカスポイントの位置が、ユーザが選択した位置と大きくずれることがない。
【００４９】
図９は、カメラの調整工程において用いられる調整装置１０００とカメラ１０とを含む調整システムを示す図である。調整装置１０００は、制御装置１０１０と、撮像装置１０２０と、表示装置１０３０とを備える。撮像装置１０２０および表示装置１０３０は、カメラ１０に対して位置決めして固定される。撮像装置１０２０は、ペンタプリズムおよびＡＦ位置表示素子６０で形成される光学像を、ファインダ窓を通じて撮像できるように設けられる。表示装置１０３０は、表示装置１０３０の表示面に表示された画像を撮像素子３０で撮像できるように、撮像素子３０の撮像面に表示面が対向するように設けられる。
【００５０】
図９においては、カメラ１０のカメラ本体１３０が有するミラーユニット２０は、レンズユニット１２０の光軸中に進出した状態にある。メインミラー２１に入射して反射された光の一部で形成される光学像は、ペンタプリズム２４、接眼光学系２５およびファインダ窓１４を通じて、撮像装置１０２０で撮像される。ＡＦ位置表示素子６０が有する発光素子によってフォーカスポイント３００の光学像が、メインミラー２１に入射した光による光学像に重畳されて、撮像装置１０２０でファインダ画像として撮像される。撮像装置１０２０で撮像されたファインダ画像は、制御装置１０１０に出力される。
【００５１】
メインミラー２１に入射して透過した光の一部は、サブミラー２２で反射して焦点検出素子４０に入射する。制御装置１０１０は、焦点検出素子４０が有する受光素子４１０および受光素子４２０が受光した光量を示す信号は、制御装置１０１０に出力される。
【００５２】
表示装置１０３０は、制御装置１０１０の制御に基づき、縦長の矩形ラインの画像と、横長の矩形ラインの画像とを切り替えて表示する。なお、縦方向とは、撮像素子３０上においてｙ方向に対応する。また、横方向は、撮像素子３０上においてｘ方向に対応する。
【００５３】
制御装置１０１０は、表示装置１０３０に縦長の矩形ラインの画像を表示させている状態で、撮像装置１０２０に第１ファインダ画像を撮像させて、第１ファインダ画像の画像データを取得する。また、制御装置１０１０は、表示装置１０３０に縦長の矩形ラインの画像を表示させている状態で、焦点検出素子４０が有する受光素子４１０および受光素子４２０からの信号を取得する。
【００５４】
また、制御装置１０１０は、表示装置１０３０に横長の矩形ラインの画像を表示させている状態で、撮像装置１０２０に第２ファインダ画像を撮像させて、第２ファインダ画像の画像データを取得する。また、制御装置１０１０は、表示装置１０３０に横長の矩形ラインの画像を表示させている状態で、焦点検出素子４０が有する受光素子４１０および受光素子４２０からの信号を取得する。
【００５５】
図１０は、第１ファインダ画像１０８０の一例を示す。第１ファインダ画像１０８０には、フォーカスポイント３００ａのフォーカスポイント像１１１０ａ、フォーカスポイント３００ｂのフォーカスポイント像１１１０ｂ、フォーカスポイント３００ｃのフォーカスポイント像１１１０ｃおよび表示装置１０３０から発せられた光線で形成された矩形のライン像１１２０が含まれる。
【００５６】
制御装置１０１０は、撮像装置１０２０で撮像された第１ファインダ画像１０８０を解析して、第１ファインダ画像１０８０上におけるｘ方向のズレ量１１５０を算出する。具体的には、制御装置１０１０は、フォーカスポイント像１１１０ａ、フォーカスポイント像１１１０ｂおよびフォーカスポイント像１１１０ｃの位置と、表示ライン像１１２０の位置とに基づいて、ズレ量１１５０を算出する。例えば、制御装置１０１０は、フォーカスポイント像１１１０ａのｘ座標、フォーカスポイント像１１１０ｂのｘ座標およびフォーカスポイント像１１１０ｃのｘ座標の平均値と、表示ライン像１１２０の中心位置のｘ座標との差に基づいて、ズレ量１１５０を算出する。
【００５７】
図１１は、表示装置１０３０が縦長の矩形ラインを表示している場合に焦点検出素子４０に光線１１００が入射している様子を模式的に示す。制御装置１０１０は、ラインセンサ４００ａが有する受光素子４１０のそれぞれからの信号が示す受光量に基づいて、表示装置１０３０から発せられた光線１１００の中心軸のｘ座標を算出する。制御装置１０１０は、算出した中心軸のｘ座標と焦点検出素子４０の基準位置４５のｘ座標とのズレ量１１６０を算出する。
【００５８】
図１２は、第２ファインダ画像１２８０の一例を示す。第２ファインダ画像１２８０には、フォーカスポイント３００ａのフォーカスポイント像１２１０ａ、フォーカスポイント３００ｄのフォーカスポイント像１２１０ｄ、フォーカスポイント３００ｇのフォーカスポイント像１２１０ｇ、フォーカスポイント３００ｊのフォーカスポイント像１２１０ｊ、フォーカスポイント３００ｋのフォーカスポイント像１２１０ｋおよび表示装置１０３０から発した光線で形成されたライン像１２２０が含まれる。
【００５９】
制御装置１０１０は、撮像装置１０２０で撮像された第２ファインダ画像１２８０を解析して、第２ファインダ画像１２８０上におけるｙ方向のズレ量１２５０を算出する。具体的には、制御装置１０１０は、フォーカスポイント像１２１０ａ、フォーカスポイント像１２１０ｄ、フォーカスポイント像１２１０ｇ、フォーカスポイント像１２１０ｊおよびフォーカスポイント像１２１０ｋの位置と、表示ライン像１２２０の位置とに基づいて、ズレ量１２５０を算出する。例えば、制御装置１０１０は、フォーカスポイント像１２１０ａのｙ座標、フォーカスポイント像１２１０ｄのｙ座標、フォーカスポイント像１２１０ｇのｙ座標、フォーカスポイント像１２１０ｊのｙ座標およびフォーカスポイント像１２１０ｋのｙ座標の平均値と、矩形ライン像１２２０の中心位置のｙ座標との差に基づいて、ズレ量１２５０を算出する。
【００６０】
図１３は、表示装置１０３０が横長の矩形ラインを表示している場合に焦点検出素子４０に光線１３００が入射している様子を模式的に示す。制御装置１０１０は、ラインセンサ４００ｈが有する受光素子４２０のそれぞれからの信号が示す受光量に基づいて、表示装置１０３０から発せられた光線１３００の中心軸のｙ座標を算出する。制御装置１０１０は、算出した中心軸のｙ座標と焦点検出素子４０の基準位置４５のｙ座標とのズレ量１２６０を算出する。
【００６１】
制御装置１０１０は、ズレ量１１５０とズレ量１１６０とに基づいて、フォーカスポイント３００ａが選択されている場合に焦点状態の検出に使用するべき受光素子４１０を選択する。例えば、制御装置１０１０は、ズレ量１１５０とズレ量１１６０とに基づいて、ＡＦ位置表示素子６０の基準位置６５と焦点検出素子４０の基準位置４５との位置ズレ量Δｘを算出する。制御装置１０１０は、位置ズレ量Δｘに基づいて、焦点状態の検出に使用するべき受光素子４１０として、ＡＦ位置表示素子６０の基準位置６５に光学的に対応する位置を中心とする予め定められた数の受光素子４１０を選択する。同様に、制御装置１０１０は、フォーカスポイント３００ｂ〜ｋのそれぞれについて、それぞれのフォーカスポイント３００が選択されている場合に焦点状態の検出に使用するべき受光素子４１０を選択する。
【００６２】
また、制御装置１０１０は、ズレ量１２５０とズレ量１２６０とに基づいて、フォーカスポイント３００ａが選択されている場合に焦点状態の検出に使用するべき受光素子４２０を選択する。例えば、制御装置１０１０は、ズレ量１２５０とズレ量１２６０とに基づいて、ＡＦ位置表示素子６０の基準位置６５と焦点検出素子４０の基準位置４５との位置ズレ量Δｙを算出する。制御装置１０１０は、位置ズレ量Δｙに基づいて、焦点状態の検出に使用するべき受光素子４２０として、ＡＦ位置表示素子６０の基準位置６５に光学的に対応する位置を中心とする予め定められた数の受光素子４２０を選択する。同様に、制御装置１０１０は、フォーカスポイント３００ｂ〜ｋのそれぞれについて、それぞれのフォーカスポイント３００が選択されている場合に焦点状態の検出に使用するべき受光素子４２０を選択する。
【００６３】
制御装置１０１０は、フォーカスポイント３００ａについて選択した受光素子４１０の識別情報および受光素子４２０の識別情報を、フォーカスポイント３００ａの識別情報に対応づけてシステムメモリ５７に記録する。同様に、制御装置１０１０は、フォーカスポイント３００ｂ〜ｋのそれぞれについて選択した受光素子４１０の識別情報および受光素子４２０の識別情報を、それぞれのフォーカスポイント３００の識別情報に対応づけてシステムメモリ５７に記録する。
【００６４】
図１４は、カメラ本体１３０が有するミラーユニット２０が、レンズユニット１２０の光軸中から退避した退避状態を示す。制御装置１０１０は、カメラ１０を制御して、レンズユニット１２０の光軸中からミラーユニット２０を退避状態させる。この場合、レンズユニット１２０のレンズ系を通過した光は、撮像素子３０に入射する。撮像素子３０に入射した光に基づく画像は、制御装置１０１０に出力される。
【００６５】
ミラーユニット２０が退避状態にある場合において、表示装置１０３０は、制御装置１０１０の制御に基づき、上述した縦長の矩形ラインの画像と、上述した横長の矩形ラインの画像とを切り替えて表示する。制御装置１０１０は、表示装置１０３０に縦長の矩形ラインの画像を表示させている状態で、撮像素子３０で撮像動作を行わせ、当該撮像動作で得られた第１撮像画像の画像データを、カメラ１０から取得する。また、制御装置１０１０は、表示装置１０３０に横長の矩形ラインの画像を表示させている状態で、撮像素子３０に撮像動作を行わせ、当該撮像動作で得られた第２撮像画像の画像データをカメラ１０から取得する。
【００６６】
図１５は、表示装置１０３０が縦長の矩形ラインを表示している場合に撮像素子３０に光線１５００が入射している様子を模式的に示す。制御装置１０１０は、カメラ１０から出力された第１撮像画像を解析して、第１撮像画像上における矩形ライン像の中心軸のｘ座標を算出する。制御装置１０１０は、算出した中心軸のｘ座標を、撮像素子３０による撮像面上のｘ座標に変換する。制御装置１０１０は、撮像面上における中心軸のｘ座標と、撮像素子３０の基準位置のｘ座標とのズレ量１５５０を算出する。
【００６７】
図１６は、表示装置１０３０が横長の矩形ラインを表示している場合に撮像素子３０に光線１６００が入射している様子を模式的に示す。制御装置１０１０は、カメラ１０から出力された第２撮像画像を解析して、第２撮像画像上における矩形ライン像の中心軸のｙ座標を算出する。制御装置１０１０は、算出した中心軸のｙ座標を、撮像素子３０による撮像面上のｙ座標に変換する。制御装置１０１０は、撮像面上における中心軸のｙ座標と、撮像素子３０の基準位置のｙ座標とのズレ量１５６０を算出する。
【００６８】
制御装置１０１０は、図１０等に関連して説明したズレ量１１５０と、図１５等に関連して説明したズレ量１５５０とに基づいて、フォーカスポイント３００ａに光学的に対応する撮像面上のｘ座標を算出する。また、制御装置１０１０は、図１２等に関連して説明したズレ量１２６０と図１６等に関連して説明したズレ量１５６０とに基づいて、フォーカスポイント３００ａに光学的に対応する撮像面上のｙ座標を算出する。同様に、制御装置１０１０は、ズレ量１１５０とズレ量１５５０とに基づいて、フォーカスポイント３００ｂ〜ｋのそれぞれについて、それぞれのフォーカスポイント３００に光学的に対応する撮像面上のｘ座標を算出する。また、制御装置１０１０は、ズレ量１２６０とズレ量１５６０とに基づいて、フォーカスポイント３００ｂ〜ｋのそれぞれについて、それぞれのフォーカスポイント３００に光学的に対応する撮像面上のｙ座標を算出する。
【００６９】
制御装置１０１０は、フォーカスポイント３００ａについて算出した、フォーカスポイント３００ａに光学的に対応する撮像面上のｘ座標およびｙ座標を示す情報を、フォーカスポイント３００ａの識別情報に対応づけて、カメラ１０のシステムメモリ５７に第１位置ズレ情報として記録する。同様に、制御装置１０１０は、フォーカスポイント３００ｂ〜ｋのそれぞれについて算出した、それぞれのフォーカスポイント３００に光学的に対応する撮像面上のｘ座標およびｙ座標を、それぞれのフォーカスポイント３００の識別情報に対応づけて、カメラ１０のシステムメモリ５７に第１位置ズレ情報として記録する。
【００７０】
ここで、ＡＦ位置表示素子６０の基準位置６５と撮像素子３０の基準位置３５との位置ズレ量ΔＸは、各フォーカスポイント３００に光学的に対応する撮像面上のｘ座標と撮像素子３０の基準位置３５のｘ座標との差に対応する。また、ＡＦ位置表示素子６０の基準位置６５と撮像素子３０の基準位置３５との位置ズレ量ΔＹは、各フォーカスポイント３００に光学的に対応する撮像面上のｙ座標と撮像素子３０の基準位置３５のｙ座標との差に対応する。したがって、各フォーカスポイント３００ａについて算出した撮像面上のｘ座標およびｙ座標は、ＡＦ位置表示素子６０の基準位置６５と撮像素子３０の基準位置３５との位置ズレΔＸおよびΔＹを示す情報といえる。なお、位置ズレΔＸおよび位置ズレΔＹを示す情報は、撮像面上における絶対的な座標値の他に、撮像素子３０の有効画素の横幅および縦幅に対する相対値として記録されてよい。また、位置ズレΔＸおよび位置ズレΔＹを示す情報は、撮像素子３０の有効画素のうち、各フォーカスポイント３００が光学的に対応するｘ座標およびｙ座標の位置に最も近い位置に存在する画素を識別する情報として記録されてよい。
【００７１】
このように、カメラ１０のシステムメモリ５７は、撮像素子３０の撮像面内における焦点検出素子４０の対応位置と撮像素子３０の位置との相対的な位置ズレを示す情報を記録する位置情報記録部として機能する。また、システムメモリ５７は、焦点検出素子４０が有する複数の受光素子のうち、焦点状態の検出に用いるべき、位置ズレに応じた位置に設けられた受光素子を識別する情報を記録する素子情報記録部として機能する。
【００７２】
図１７は、カメラ１０の調整工程におけるフローの一例を示す。
【００７３】
本フローが開始すると、ステップＳ１７００において、調整対象のカメラ１０を用意して、調整装置１０００に対して位置決めされた状態に固定する。ステップＳ１７０２において、制御装置１０１０は、カメラ１０のミラーユニット２０を、レンズユニット１２０のレンズ系の光軸中に進出状態にして維持する。
【００７４】
ステップＳ１７０４において、制御装置１０１０は、縦長の矩形ラインを表示装置１０３０に表示させる。表示装置１０３０から発せられる画像を形成する光は、焦点検出素子４０が有する複数の受光素子に測定光として受光される。
【００７５】
ステップＳ１７０６において、制御装置１０１０は、撮像装置１０２０に第１ファインダ画像を撮像させて、撮像装置１０２０から第１ファインダ画像の画像データを取得して、第１ファインダ画像を解析する。制御装置１０１０は、第１ファインダ画像を解析することにより、図１０等に関連して説明したｘ方向のズレ量１１５０を算出する。
【００７６】
ステップＳ１７０８において、制御装置１０１０は、焦点検出素子４０の出力を取得して解析する。ステップＳ１７０８において、制御装置１０１０は、図１１等に関連して説明したｘ方向のズレ量１１６０を算出する。
【００７７】
続いて、ステップＳ１７１０において、制御装置１０１０は、横長の矩形ラインを表示装置１０３０に表示させる。
【００７８】
ステップＳ１７１２において、制御装置１０１０は、撮像装置１０２０に第２ファインダ画像を撮像させて、撮像装置１０２０から第２ファインダ画像の画像データを取得して、第２ファインダ画像を解析する。制御装置１０１０は、第２ファインダ画像を解析することにより、図１２等に関連して説明したｙ方向のズレ量１２５０を算出する。ステップＳ１７０６およびステップＳ１７１２に関連して説明したように、制御装置１０１０は、測定光で形成される光学像と測定光で形成される光学像に重畳されたマークの位置との相対的な位置ズレを検出する。
【００７９】
ステップＳ１７１４において、制御装置１０１０は、焦点検出素子４０の出力を取得して解析する。ステップＳ１７１４において、制御装置１０１０は、図１３等に関連して説明したｙ方向のズレ量１２６０を算出する。
【００８０】
ステップＳ１７１６において、制御装置１０１０は、各フォーカスポイント３００のそれぞれについて、焦点検出素子４０が有する使用する受光素子４１０および受光素子４２０を選択する。上述したように、制御装置１０１０は、ズレ量１１５０およびズレ量１１６０に基づいて、各フォーカスポイント３００のそれぞれについて、それぞれのフォーカスポイント３００が選択された場合に焦点状態の検出に使用する受光素子４１０を選択する。また、制御装置１０１０は、ズレ量１２５０およびズレ量１２６０に基づいて、各フォーカスポイント３００のそれぞれについて、それぞれのフォーカスポイント３００が選択された場合に焦点状態の検出に使用する受光素子４２０を選択する。
【００８１】
ステップＳ１７１８において、制御装置１０１０は、ステップＳ１７１６で選択した受光素子４１０および受光素子４２０の識別情報を、対応するフォーカスポイント３００の識別情報に対応付けてカメラ１０のシステムメモリ５７に記録する。これにより、第２位置ズレ情報がカメラ１０に記録される。このように、制御装置１０１０は、ステップＳ１７０６およびステップＳ１７１２に関連して説明した位置ズレに基づいて、焦点検出素子４０が有する複数の受光素子のうち、光学像が形成される面内においてマークが表示される位置に光学的に対応する位置に設けられた受光素子を、焦点状態の検出に用いるべき焦点検出素子４０として選択して、選択した受光素子を識別する情報を、撮像装置に記録する。
【００８２】
ステップＳ１７２２において、制御装置１０１０は、カメラ１０のミラーユニット２０を退避状態にさせる。
【００８３】
ステップＳ１７２４において、制御装置１０１０は、縦長の矩形ラインを表示装置１０３０に表示させる。表示装置１０３０から発せられる画像を形成する光は、測定光として撮像素子３０画有する複数の受光素子に受光される。
【００８４】
ステップＳ１７２６において、制御装置１０１０は、カメラ１０に第１撮像画像を撮像させて、カメラ１０から第１撮像画像の画像データを取得して、第１撮像画像を解析する。制御装置１０１０は、第１撮像画像を解析することにより、図１５等に関連して説明したｘ方向のズレ量１５５０を算出する。
【００８５】
ステップＳ１７２８において、制御装置１０１０は、横長の矩形ラインを表示装置１０３０に表示させる。
【００８６】
ステップＳ１７３０において、制御装置１０１０は、カメラ１０に第２撮像画像を撮像させて、カメラ１０から第２撮像画像の画像データを取得して、第２撮像画像を解析する。制御装置１０１０は、第２撮像画像を解析することにより、図１６等に関連して説明したｘ方向のズレ量１５６０を算出する。
【００８７】
ステップＳ１７３２において、制御装置１０１０は、フォーカスポイント３００のそれぞれについて、それぞれのフォーカスポイント３００が光学的に対応する撮像面上のｘ座標およびｙ座標を算出する。上述したように、制御装置１０１０は、ズレ量１１５０およびズレ量１５５０に基づいて、それぞれのフォーカスポイント３００が光学的に対応する撮像面上のｘ座標を算出する。また、制御装置１０１０は、ズレ量１２５０およびズレ量１５６０に基づいて、それぞれのフォーカスポイント３００が光学的に対応する撮像面上のｙ座標を算出する。
【００８８】
ステップＳ１７３４において、制御装置１０１０は、それぞれのフォーカスポイント３００に光学的に対応する撮像面上のｘ座標およびｙ座標を、対応するフォーカスポイント３００の識別情報に対応付けてカメラ１０のシステムメモリ５７に記録する。これにより、第１位置ズレ情報がカメラ１０に記録される。このように、制御装置１０１０は、焦点検出素子４０が有する複数の受光素子のうち測定光を検出した受光素子の位置と、撮像素子３０が有する複数の受光素子のうち測定光を検出した受光素子の位置とに基づいて、撮像素子３０の撮像面内における焦点検出素子４０の対応位置と撮像素子３０の位置との相対的な位置ズレを検出して、当該位置ズレを示す情報を、撮像装置に記録する。
【００８９】
ステップＳ１７３６において、制御装置１０１０は、カメラ１０のミラーユニット２０を進出状態にさせる。ステップＳ１７３８において、制御装置１０１０は、カメラ１０を調整装置１０００から取り外して、本フローを終了する。他のカメラを調整する場合は、他のカメラを選択して、本フローで説明した各ステップを繰り返す。
【００９０】
なお、カメラ１０においては、ＡＦ位置表示素子６０が有する発光素子で表示されるフォーカスポイント３００を示すマークは、被写体の光学像上において固定された位置に表示される。しかし、ＡＦ位置表示素子６０を例えばドットマトリクス方式で実現すれば、撮像素子３０、焦点検出素子４０およびＡＦ位置表示素子６０が組み付けられた後に、フォーカスポイント３００を示すマークの位置を変更することができる。この場合、制御ユニット５２は、上述した調整結果に基づいて、レンズ系を通過した光で形成される光学像に重畳して、光学像が形成される面内における焦点検出素子４０の対応位置に、焦点状態に基づく焦点調節の対象位置を示すマークを表示させてもよい。
【００９１】
また、ＡＦ位置表示素子６０は、レンズ系を通過した光で形成される光学像に重畳して情報を表示する表示素子の一例である。ＡＦ位置表示素子６０に代えて、またはＡＦ位置表示素子６０に加えて、様々な情報を表示する表示素子を、撮像素子３０や焦点検出素子４０との間の相対的な位置ズレの調整対象としてよい。
【００９２】
また、カメラ１０は、ＡＦ位置表示素子６０を有しなくてもよい。また、カメラ１０は、焦点検出素子４０を有しなくてもよい。また、本実施形態では焦点検出素子４０が複数の受光素子から形成され、各フォーカスポイント３００に対応する受光素子を選択する。他の形態としては、それぞれ複数の受光素子を有する焦点検出素子を別々の位置に複数設けて、各フォーカスポイント３００に対応する焦点検出素子を選択してもよい。
【００９３】
上記の説明において、制御ユニット５２の動作として説明した処理は、制御ユニット５２がプログラムに従ってカメラ１０が有する各ハードウェアを制御することにより実現される。同様に、上記の説明において画像処理部５１により実現される処理は、プロセッサによって実現することができる。このように、本実施形態のカメラ１０に関連して説明したカメラ１０の処理は、プロセッサがプログラムに従って動作して各ハードウェアを制御することにより、プロセッサ、メモリ等を含む各ハードウェアとプログラムとが協働して動作することにより実現することができる。すなわち、当該処理を、いわゆるコンピュータによって実現することができる。同様に、制御装置１０１０が実行する処理を、いわゆるコンピュータによって実現することができる。コンピュータは、上述した処理の実行を制御するプログラムをロードして、読み込んだプログラムに従って動作して、当該処理を実行してよい。コンピュータは、当該プログラムを記憶しているコンピュータ読取可能な記録媒体から当該プログラムをロードすることができる。
【００９４】
本実施形態において、撮像装置の一例として、レンズユニット１２０およびカメラ本体１３０を備えるカメラ１０を取り上げた。しかし、撮像装置とは、レンズユニット１２０を備えないカメラ本体１３０を含む概念である。撮像装置は、一眼レフレックスカメラ等のレンズ交換式カメラであってよいし、レンズ非交換式カメラであってもよい。撮像装置は、ビデオカメラであってよい。撮像装置とは、撮像機能付きの携帯電話機、撮像機能付きの携帯情報端末等、撮像機能を有する種々の機器を含む概念である。
【００９５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９７】
１０  カメラ
１２  レリーズボタン、１３  マルチセレクタ、１４  ファインダ窓、２０  ミラーユニット、２１  メインミラー、２２  サブミラー、２４  ペンタプリズム、２５  接眼光学系
３０  撮像素子、４０  焦点検出素子、４７  操作入力部、５１  画像処理部、５２  制御ユニット、５３  表示ユニット、５６  外部接続ＩＦ、５７  システムメモリ、５８  ＳＤＲＡＭ、６０  表示素子、７１  レンズ駆動部、８０  外部メモリ、９０  電源ユニット
１２０  レンズユニット、１３０  カメラ本体
３５、４５、６５  基準位置
３００  フォーカスポイント
４００  ラインセンサ
４１０  受光素子
４１１、４１２  中心軸
４２０  受光素子
７００  ファインダ像、７１０  マーク、７２０  光学像
８００  画像、８１０  マーク
１０００  調整装置、１０１０  制御装置、１０２０  撮像装置、１０３０  表示装置
１０８０  第１ファインダ画像
１１００、１３００、１５００、１６００  光線
１１１０  フォーカスポイント像
１１２０  ライン像
１１５０、１１６０  ズレ量
１２１０  フォーカスポイント像
１２２０  ライン像
１２５０、１２６０  ズレ量
１２８０  第２ファインダ画像
１５００  光線  
１５５０、１５６０  ズレ量
【図１】
2015102740.tif 000003
【図２】
2015102740.tif 000004
【図３】
2015102740.tif 000005
【図４】
2015102740.tif 000006
【図５】
2015102740.tif 000007
【図６】
2015102740.tif 000008
【図７】
2015102740.tif 000009
【図８】
2015102740.tif 000010
【図９】
2015102740.tif 000011
【図１０】
2015102740.tif 000012
【図１１】
2015102740.tif 000013
【図１２】
2015102740.tif 000014
【図１３】
2015102740.tif 000015
【図１４】
2015102740.tif 000016
【図１５】
2015102740.tif 000017
【図１６】
2015102740.tif 000018
【図１７】
2015102740.tif 000019